(57)【要約】【課題】  故人の生前写真や故人に関連した写真を、スライドショーによって表示させることで、故人の活動等を含めた生前情報を会葬者に対し効果的に知らせて、故人を偲ぶ気持ちを持たせるようにさせ、特に、これを葬儀が始まる前に、葬儀場のロビーや待合室やホール等で行なうことで、葬儀の邪魔になることなく、葬儀中の厳粛性を損なうことがないようにできる葬儀方法及び葬儀用画像表示装置の提供。【解決手段】  故人の生前写真や故人に関連した写真を画像で記録した記録媒体３と、葬儀場のロビーや待合室やホール等の葬儀会場以外の場所に設置した画像表示モニタ１と、葬儀が始まる前に、前記記録媒体に記録された画像をスライドショー機能によって前記画像表示モニタに表示させるパソコン２の画像再生装置２０と、を備えている。【選択図】  図１
2005224308.tif 000002
【特許請求の範囲】
【請求項１】
葬儀が始まる前に、故人の生前写真や故人に関連した複数枚の写真を、葬儀場のロビーや待合室やホール等の葬儀会場以外の場所に設置した画像表示モニタに、パソコンの画像再生装置によるスライドショー機能によって表示させることを特徴とした葬儀方法。
【請求項２】
故人の生前写真や故人に関連した複数枚の写真を画像データで記録した記録媒体と、
葬儀場のロビーや待合室やホール等の葬儀会場以外の場所に設置した画像表示モニタと、
葬儀が始まる前に、前記記録媒体に記録された画像をスライドショー機能によって前記画像表示モニタに表示させるパソコンの画像再生装置と、を備えていることを特徴とした葬儀用画像表示装置。
【発明の詳細な説明】
【技術分野】
【０００１】
本発明は、葬儀（通夜、葬式、告別式等を含む）において、故人の生前写真や故人に関連した写真を、葬儀が始まる前に、葬儀場のロビーや待合室やホール等で表示させるようにした葬儀方法及び葬儀用画像表示装置に関する。
【背景技術】
【０００２】
葬儀においては、祭壇等に故人の遺影写真を飾ることが一般的に行なわれている。
この故人の写真を表示する技術として、パソコンの画像処理装置に写真画像を記憶する画像記憶部を設け、この画像記憶部より読出した写真画像を画像表示部で表示させるようにしたものが知られている（特許文献１参照）。
この従来の技術は、故人の写真をパソコンに予め取り込んでおき、これらの写真を差し替えながら、葬儀の最中に、祭壇等に設置したモニター等の画像表示部で表示させるようにしたものであった。
【０００３】
また、従来、祭壇に設置したスクリーン等の表示装置に、故人の遺影や生前の活動を撮影したビデオを映すようにした葬儀方法が知られている（特許文献２参照）。
【０００４】
葬儀に際しては、故人を偲ぶ気持ちが大切であると共に、葬儀中は読経等、葬式に集中するなど、厳粛性が求められる。
故人を偲ぶ点においては、従来のように、故人の写真やビデオ映像等を表示させることは効果的ではあるが、これを葬儀の最中に、葬儀会場内で行なうと、ややもすると葬儀への集中が疎かになる嫌いが生じ、厳粛性が損なわれてしまうことがある。
【特許文献１】特許公開２００３−２０９８０９号公報
【特許文献２】特開平１０-２４３８７１号公報
【発明の開示】
【発明が解決しようとする課題】
【０００５】
本発明は、上記のような実情に鑑み、故人の生前写真や故人に関連した写真を、スライドショーによって表示させることで、故人の活動等を含めた生前情報を会葬者に対し効果的に知らせて、故人を偲ぶ気持ちを持たせるようにさせ、特に、これを葬儀が始まる前に、葬儀場のロビーや待合室やホール等で行なうことで、葬儀の邪魔になることなく、葬儀中の厳粛性を損なうことがないようにできる葬儀方法及び葬儀用画像表示装置を提供することを課題としている。
【課題を解決するための手段】
【０００６】
上記課題を解決するために、本発明の葬儀方法（請求項１）は、
葬儀が始まる前に、故人の生前写真や故人に関連した複数枚の写真を、葬儀場のロビーや待合室やホール等の葬儀会場以外の場所に設置した画像表示モニタに、パソコンの画像再生装置によるスライドショー機能によって表示させる構成とした。
【０００７】
又、本発明の葬儀用画像表示装置（請求項２）は、
故人の生前写真や故人に関連した複数枚の写真を画像データで記録した記録媒体と、
葬儀場のロビーや待合室やホール等の葬儀会場以外の場所に設置した画像表示モニタと、
葬儀が始まる前に、前記記録媒体に記録された複数枚の画像をスライドショー機能によって前記画像表示モニタに表示させるパソコンの画像再生装置と、を備えている構成とした。
【発明の効果】
【０００８】
本発明の葬儀方法及び葬儀用画像表示装置にあっては、故人の生前写真や故人に関連した写真を、スライドショーによって表示させるため、故人の活動等を含めた生前情報を会葬者に対し写真を通して効果的に知らせて、故人を偲ぶ気持ちを持たせるようにさせることができる。
特に、このような表示を、葬儀が始まる前に、葬儀場のロビーや待合室やホール等で行なうため、この画像表示が葬儀の邪魔になることなく、葬儀中の厳粛性を損なうことがないようにできる。
【発明を実施するための最良の形態】
【０００９】
図1は本発明の葬儀用画像表示装置の１例を示す全体図である。
図において、１は画像表示モニタで、パソコン２（パーソナルコンピュータ）に有線又は無線で接続したモニタ（ブラウン管モニタ、液晶モニタ、透過型液晶モニター、プラズマモニター等）が用いられている。
この画像表示モニタ１は、葬儀場の葬儀会場以外の場所、例えば、ロビーや待合室やホールや受付場所等、できるだけ会葬者の目に付き易い場所に設置されるもので、実施例では、ロビーと待合室の２ヶ所に設置されている。
【００１０】
前記パソコン２は、例えば、葬儀場の事務室等に設置され、記録媒体３に記録された複数枚の画像をスライドショー機能によって前記画像表示モニタ１に表示させる画像再生装置２０が組み込まれている。
前記記録媒体３としては、例えば、デジタルカメラに挿入されるメモリカードが用いられ、遺族から預かった故人の生前写真や故人に関連した複数枚の写真をデジタルカメラ４で撮影して、その画像データを記憶させるようにしている。
この記録媒体としては、故人の生前写真や故人に関連した複数枚の写真をスキャナ等で取り込んで、これをパソコンのハードディスクやフロッピデイスクやＣＤ等に記憶させるものを含む。
【００１１】
そして、上記のようにして故人の生前写真や故人に関連した複数枚の写真を記憶させた記録媒体３をカードリーダ３０等を介してパソコン２に接続して、この記録媒体３の画像データを画像再生装置２０に取り込むようにしている。
【００１２】
前記スライドショー機能は、記録媒体３に記録された画像の表示方法の１つであり、記録されている複数枚の画像を順次表示していく機能である。
このスライドショーでは、記録媒体３に記録されている画像データを一定時間表示したのち、次に表示する画像データを一定時間表示するというように、すべての画像データを一定のインターバル時間で順次表示し、すべての画像データが表示された後には、最初に表示した画像から再度繰り返し表示を行っていく表示方法である。
なお、画像再生装置２０は、取り込んだ画像を修正したり、画像の上に文字を書き込む等の画像処理機能を持っているのが一般的であり、この画像処理機能を活用するのは任意である。
【００１３】
そして、前記葬儀用画像表示装置を使用した葬儀方法では、葬儀が始まる前に、故人の生前写真や故人に関連した複数枚の写真を、葬儀場のロビーや待合室やホール等の葬儀会場以外の場所に設置した画像表示モニタ１に、パソコン２の画像再生装置２０によるスライドショー機能によって表示させるものである。
特に、葬儀が始まる前に、葬儀会場以外の場所で、スライドショー機能によって、故人の生前写真や故人に関連した写真を表示させる点に特徴がある。
なお、表示時間を管理したり、或いは、画像再生装置２０をタイマーにより制御して表示時間を管理することもできる。
【００１４】
これにより、故人の活動等を含めた生前情報を会葬者に対し写真を通して効果的に知らせて、故人を偲ぶ気持ちを持たせるようにさせることができるし、この画像表示を、葬儀の邪魔になることなく、葬儀中の厳粛性を損なうことなく行なうことができる。
【図面の簡単な説明】
【００１５】
【図１】本発明の葬儀用画像表示装置の１例を示す全体説明図である。
【符号の説明】
【００１６】
１  画像表示モニタ
２  パソコン
２０  画像再生装置
３  記録媒体
３０  カードリーダ
４  デジタルカメラ
【図１】
2005224308.tif 000003